(57)【要約】【課題】薄型化が可能な電子機器を提供する。【解決手段】断面コ字状の板金の部品ホルダ１４で電子部品１３を保持し、電子部品１３を挟持している部品ホルダ１４の第１の面１４ａおよび第２の面１４ｂに対応する表側の筐体１１および裏側の筐体１２に開口部１５，１６を設け、その開口部１５，１６から第１の面１４ａおよび第２の面１４ｂを露出させるようにした。これにより、筐体１１，１２の厚さは、部品ホルダ１４の厚さにまで薄型化が可能になる。【選択図】図１
2013042408.tif 000002
【特許請求の範囲】
【請求項１】
電子部品と、
前記電子部品を挟持する第１の面および第２の面を有する部品ホルダと、
前記部品ホルダの前記第１の面および前記第２の面の少なくとも一方が露出する開口部を有する筐体と、
を備えていることを特徴とする電子機器。
【請求項２】
前記部品ホルダは、前記第１の面および前記第２の面を連結して断面コ字状にする連結部を有していることを特徴とする請求項１記載の電子機器。
【請求項３】
前記部品ホルダは、前記連結部が連結された辺に隣接する両辺に第１の係合部を有し、
前記筐体は、前記開口部の前記第１の係合部に対応する両辺に第２の係合部を有し、
前記第１の係合部と前記第２の係合部とを係合して前記部品ホルダを前記筐体に固定することを特徴とする請求項２記載の電子機器。
【請求項４】
前記電子部品は、ばね接点構造の端子を有し、前記部品ホルダの前記第１の面または前記第２の面と前記電子部品との間に配置したフレキシブルプリント基板と電気的に接続されていることを特徴とする請求項１記載の電子機器。
【請求項５】
前記部品ホルダは、導電性の板金であり、前記電子機器のグランド端子に接続されていることを特徴とする請求項１記載の電子機器。
【発明の詳細な説明】
【技術分野】
【０００１】
本件は、電子機器に関する。
【背景技術】
【０００２】
携帯電話機や各種携帯端末のような電子機器では、液晶表示器のような大きな電子部品は、その周囲が板金部材によって保護されており、その板金部材を筐体が押し付けるようにすることで装置内に保持されるようにしている（たとえば、特許文献１参照）。
【０００３】
また、携帯電話機などに内蔵されるスピーカやレシーバやマイクロフォンなどの電気音響変換器は、液晶表示器よりも小さな電子部品であるが、このような電子部品は、板金部材で保護されることなく装置内に保持されている（たとえば、特許文献２参照）。この特許文献２の例では、スピーカとする電子部品が表側の筐体と裏側の筐体とによって形成された区画室内に収容されており、電子部品と表側の筐体との間に所定の距離を確保するために板金が介在されている。表側の筐体は、電子部品が対向する位置に音声信号を伝達させる音響伝達孔が穿設されており、スピーカから放射された音波を装置外へ放出したり装置外の音声信号をマイクロフォンへ導いたりするようにしている。
【先行技術文献】
【特許文献】
【０００４】
【特許文献１】特開平８−２６２９９２号公報
【特許文献２】特開２０１０−０８７６３８号公報
【発明の概要】
【発明が解決しようとする課題】
【０００５】
一般的な電子機器では、表側および裏側の筐体を合わせることにより電子部品を挟持して内部に保持している。このため、電子部品の収容部分の厚さは、少なくとも電子部品の厚さと表裏の筐体の厚さとの和になり、電子機器をこれ以上薄型化することが困難という問題点があった。
【０００６】
本件はこのような点に鑑みてなされたものであり、さらなる薄型化が可能な電子機器を提供することを目的とする。
【課題を解決するための手段】
【０００７】
上記課題を解決するために、電子機器が提供される。この電子機器によれば、電子部品と、前記電子部品を挟持する第１の面および第２の面を有する部品ホルダと、前記部品ホルダの前記第１の面および前記第２の面の少なくとも一方が露出する開口部を有する筐体と、を備えている。
【発明の効果】
【０００８】
開示の電子機器によれば、薄型化することが可能になる。
【図面の簡単な説明】
【０００９】
【図１】第１の実施の形態に係る電子機器の要部を示す部分拡大断面図である。
【図２】電子部品を部品ホルダに装着する前の状態を示す図である。
【図３】電子部品を部品ホルダに装着した後の状態を示す図である。
【図４】部品ホルダを装着する前の裏側の筐体を示す図である。
【図５】部品ホルダを裏側の筐体に装着した状態を示す図である。
【図６】図５のａ−ａ矢視断面図である。
【図７】第２の実施の形態に係る電子機器の要部を示す断面図である。
【発明を実施するための形態】
【００１０】
以下、本実施の形態について図面を参照して説明する。なお各実施の形態は、矛盾のない範囲で複数の実施の形態を組み合わせて実施することができる。
図１は第１の実施の形態に係る電子機器の要部を示す部分拡大断面図である。
【００１１】
第１の実施の形態に係る電子機器は、たとえば携帯電話機、スマートフォン、ノート型パーソナルコンピュータ、ポータブルテレビ、電子辞書などのような薄型化が要求される装置とすることができる。また、電子機器の薄型化のネックとなっていた電子部品としては、ここでは、スピーカを想定して説明するが、これらに限定されるものではなく、ブザー、マイクロフォンなどの他の電気音響変換器や、液晶パネルやバッテリなどの他の機能部品であってもよい。
【００１２】
この電子機器によれば、表側の筐体１１および裏側の筐体１２を有し、筐体１１，１２によって囲まれた空間の内部に電子部品１３が配置されている。この電子部品１３は、断面コ字状の部品ホルダ１４に収容されて保持されている。部品ホルダ１４は、薄い板金を折り曲げ加工することによって形成され、筐体１１，１２の厚さとほぼ同じ厚さを有し、その両面は、筐体１１，１２に形成された開口部１５，１６から露出されている。つまり、この電子機器は、その厚さが部品ホルダ１４の厚さまで薄型化されている。
【００１３】
部品ホルダ１４は、表側の筐体１１から露出される第１の面１４ａに、電子部品１３から放射された音波を外部へ放出するために音響伝達孔１７が穿設されている。この部品ホルダ１４の第１の面１４ａと電子部品１３との間には、防塵布１８が配置されている。部品ホルダ１４の第２の面１４ｂと電子部品１３との間には、フレキシブルプリント基板１９が配置されている。電子部品１３は、板ばね形状の端子１３ａを有しており、部品ホルダ１４の中に装着されたときに、その端子１３ａがフレキシブルプリント基板１９に圧接されることによってフレキシブルプリント基板１９に電気的に接続される。電子部品１３が部品ホルダ１４によって囲まれていることにより、ばね接点構造を有する端子１３ａは、その接触ストロークを安定して確保することができる。このフレキシブルプリント基板１９は、部品ホルダ１４の外に延出されていて、図示しない制御部内の駆動回路に電気的に接続される。
【００１４】
部品ホルダ１４は、導電性の板金であり、電子機器のグランド端子に接続されている。電子部品１３は、部品ホルダ１４によってシールドされているので、外部から静電気または電磁波の攻撃を受けたとしてもグランドへ逃がされて直接影響を受けることなく保護される。また、部品ホルダ１４は、電子部品１３の周りを囲んでいるので、電子部品１３が何らかの電磁妨害を引き起こすようなノイズ発生源となり得る部品の場合に、電子機器からそのようなノイズが外部へ放射されるのを防止することができる。
【００１５】
次に、電子機器の組み立て手順について説明する。
図２は電子部品を部品ホルダに装着する前の状態を示す図、図３は電子部品を部品ホルダに装着した後の状態を示す図である。図４は部品ホルダを装着する前の裏側の筐体を示す図、図５は部品ホルダを裏側の筐体に装着した状態を示す図、図６は図５のａ−ａ矢視断面図である。
【００１６】
部品ホルダ１４は、図２に示したように、電子部品１３をその両面から挟持するよう平行配置の第１の面１４ａおよび第２の面１４ｂと、これら第１の面１４ａおよび第２の面１４ｂを連結して断面コ字状にする連結部１４ｃとを有している。第１の面１４ａは、その中央部に穿設された音響伝達孔１７を有している。第２の面１４ｂは、連結部１４ｃが連結された辺に隣接する両辺に裏側の筐体１２と係合する係合部１４ｄが形成されている。この係合部１４ｄは、第２の面１４ｂの両辺から第１の面１４ａの方向に立設され、さらに、外側に向かって屈曲するように形成されている。第２の面１４ｂは、また、連結部１４ｃが連結された辺に対向する側の辺に第１の面１４ａの方向に立設された屈曲部１４ｅを有している。第２の面１４ｂは、その四方が連結部１４ｃ、係合部１４ｄおよび屈曲部１４ｅによって形成されていることにより、剛性が高くなっている。
【００１７】
電子部品１３は、防塵布１８およびフレキシブルプリント基板１９とともに部品ホルダ１４の中に収容される。これは、たとえば電子部品１３の両面を防塵布１８およびフレキシブルプリント基板１９で挟持しながら電子部品１３を部品ホルダ１４に挿入することによって電子部品１３が部品ホルダ１４に装着される。電子部品１３を部品ホルダ１４の中に装着した後は、ばね接点構造の端子１３ａが部品ホルダ１４の中で電子部品１３を動かないようにする。すなわち、端子１３ａが電子部品１３を第１の面１４ａの方向に付勢し、フレキシブルプリント基板１９を第２の面１４ｂの方向に付勢することにより、図３に示したように、電子部品１３が部品ホルダ１４の中で保持され、部品ホルダ１４と一体になる。この状態では、電子部品１３の端子１３ａは、部品ホルダ１４の中にあって外部に露出されていないので、これ以降の組み立て工程にて、接点部分が何かに接触したり接触による変形したりすることがない。
【００１８】
この部品ホルダ１４が装着される裏側の筐体１２は、図４に示したように、部品ホルダ１４の第２の面１４ｂが入る大きさの開口部１６を有している。この筐体１２は、また、開口部１６の対向する２つの短辺に沿って係合部２０が形成されている。この係合部２０は、筐体１２から立設され、さらに筐体１２の面から部品ホルダ１４の厚さに相当する高さで開口部１６のある方向に屈曲された断面逆Ｌ字形状を有している。
【００１９】
筐体１２の開口部１６に部品ホルダ１４を装着すると、図５および図６に示したように、部品ホルダ１４の係合部１４ｄが筐体１２の係合部２０と係合される。これによって、部品ホルダ１４は、一部が開口部１６に挿入された状態で筐体１２に固定され、図６の例では、第２の面１４ｂの外面が筐体１２の外面と同一平面になるようにしている。部品ホルダ１４は、また、表側の筐体１１を裏側の筐体１２に組み付けたときに、第１の面１４ａの外面が筐体１１の外面と同一平面になるようにしている。その結果、電子機器の厚さ方向に大きな寸法の電子部品１３を収納する場合でも、電子部品１３を筐体１１，１２で挟持するだけで保持する場合に比較して電子機器の厚さを薄くすることができる。
【００２０】
このように、電子機器は、電子部品を挟持する第１の面１４ａおよび第２の面１４ｂを有する部品ホルダ１４と、部品ホルダ１４の第１の面１４ａおよび第２の面１４ｂの少なくとも一方が露出する開口部１５，１６を有する筐体１１，１２とを備えるようにした。
【００２１】
これにより、電子機器は、筐体１１，１２の電子部品１３の収容部分の厚さを薄型化することができる。たとえば、電子部品１３を挟持していた部分の筐体１１，１２の厚さがそれぞれ１．０ミリメートル（ｍｍ）および０．９ｍｍであった場合、厚さが０．３ｍｍの部品ホルダ１４を使用して図１のように形成した場合に、１．３ｍｍの薄型化が可能になる。
【００２２】
図７は第２の実施の形態に係る電子機器の要部を示す断面図である。なお、この図７において、図６と同じものには同じ符号を付してその詳細な説明は省略する。
第２の実施の形態に係る電子機器は、開口部が筐体１１，１２の両方に有している第１の実施の形態に係る電子機器に対し、部品ホルダ１４を挿入する開口部を筐体１１，１２の一方に有している。図７に示す例では、表側の筐体１１に開口部１５を有し、その開口部１５の対向する両辺に沿って係合部２０が形成され、その係合部２０に部品ホルダ１４の係合部１４ｄを係合させて表側の筐体１１に部品ホルダ１４を固定している。表側の筐体１１に開口部１５に対応する裏側の筐体１２には、開口部は設けられていない。
【００２３】
この部品ホルダ１４は、第２の面１４ｂの中央部に音響伝達孔１７が穿設されている。部品ホルダ１４は、第１の面１４ａと第２の面１４ｂとの間において、フレキシブルプリント基板１９、電子部品１３および防塵布１８をこの順に積層して収容している。
【００２４】
このように、電子機器は、筐体１１，１２の一方に開口部を設けるようにした。
これにより、電子機器は、筐体１１，１２の一方の電子部品１３の収容部分の厚さを薄型化することができる。たとえば、電子部品１３の筐体１１の厚さが１．０ｍｍであった場合、厚さが０．３ｍｍの部品ホルダ１４を使用して図７のように形成した場合に、０．７ｍｍの薄型化が可能になる。
【符号の説明】
【００２５】
１１，１２  筐体
１３  電子部品
１３ａ  端子
１４  部品ホルダ
１４ａ  第１の面
１４ｂ  第２の面
１４ｃ  連結部
１４ｄ  係合部
１４ｅ  屈曲部
１５，１６  開口部
１７  音響伝達孔
１８  防塵布
１９  フレキシブルプリント基板
２０  係合部
【図１】
2013042408.tif 000003
【図２】
2013042408.tif 000004
【図３】
2013042408.tif 000005
【図４】
2013042408.tif 000006
【図５】
2013042408.tif 000007
【図６】
2013042408.tif 000008
【図７】
2013042408.tif 000009